(57)【要約】【課題】タイトル情報の入力が、より容易な作業手順によって行えるようにして、タイトル情報を登録可能な機器としての利便性を向上させる。【解決手段】ユーザの音声を収音する収音手段と、収音手段により収音されたユーザの音声を記憶する記憶手段と、記憶手段に記憶された音声をタイトル情報として、オーディオデータに対応付けて登録するための制御を実行する登録制御手段とを備える。【選択図】        図３
2007103004.tif 000002
【特許請求の範囲】
【請求項１】
記憶媒体に記録されたオーディオデータをユーザの音声によって登録する電子機器であって、
ユーザの音声を収音する収音手段と、
上記収音手段により収音された上記ユーザの音声を記憶する記憶手段と、
上記記憶手段に記憶された音声をタイトル情報として、上記オーディオデータに対応付けて登録するための制御を実行する登録制御手段と、
を備えていることを特徴とする電子機器。
【請求項２】
登録が行われた上記タイトル情報としてユーザ自身の音声を出力するための音声出力手段が備えられることを特徴とする請求項１に記載の電子機器。
【請求項３】
上記所定の記録媒体に記録された上記オーディオデータを再生出力する際に、この再生出力すべき上記オーディオデータに対応付けられたタイトル情報をユーザ自身の音声として出力されるように上記音声出力手段に対して制御を実行する音声出力制御手段が備えられることを特徴とする請求項２に記載の電子機器。
【請求項４】
上記所定の記録媒体に記録された上記オーディオデータのリストと上記タイトル情報とを対応付けて登録する登録制御手段を備えることを特徴とする請求項２に記載の電子機器。
【請求項５】
上記所定の記録媒体に記録された上記オーディオデータのリストを出力する際に、当該リストとして出力すべきデータに対応付けられたタイトル情報としてのユーザ自身の音声が音声として出力されるように上記音声出力手段に対して制御を実行可能な音声出力制御手段が備えられることを特徴とする請求項４に記載の電子機器。
【請求項６】
上記タイトル情報は上記オーディオデータのタイトル名であることを特徴とする請求項１に記載の電子機器。
【請求項７】
記憶する記憶手段により得られた音声を検索条件として取得する検索条件取得手段と、
上記登録制御手段により登録されたタイトル情報としての上記オーディオデータのうちから、上記検索条件としての上記オーディオデータと一致したと判定されるタイトル情報としての上記オーディオデータが対応するオーディオデータを検索結果として出力可能な検索結果出力手段と、
を備えていることを特徴とする請求項１に記載の電子機器。
【請求項８】
上記登録制御手段により登録されるべき上記タイトル情報は、上記データが記録される所定の記録媒体に対して記録されることを特徴とする請求項１に記載の電子機器。
【請求項９】
上記登録制御手段により登録されるべき上記タイトル情報は、上記データが記録される所定の記録媒体とは異なる他の記録媒体に記録されるものとされ、
上記他の記録媒体は、上記タイトル情報を記憶可能なメモリ素子を備えて構成されることを特徴とする請求項１に記載の電子機器。
【請求項１０】
上記データが記録される所定の記録媒体は、上記データと共に、このデータについての記録又は再生を管理するための管理情報が記録されており、
上記登録制御手段は、上記管理情報と上記タイトル情報を対応付けて登録を行うための制御を実行するように構成されることを特徴とする請求項１に記載の電子機器。
【請求項１１】
当該電子機器は、車載用機器であることを特徴とする請求項１に記載の電子機器。
【請求項１２】
上記メモリ素子は不揮発性メモリであることを特徴とする請求項９に記載の電子機器。
【請求項１３】
記憶媒体に記録されたオーディオデータをユーザの音声によって登録する電子機器のタイトル情報登録方法であって、
ユーザの音声を収音する収音ステップと、
上記収音ステップにより収音された上記ユーザの音声を記憶する記憶ステップと、
上記記憶ステップに記憶された音声をタイトル情報として、上記オーディオデータに対応付けて登録するための制御を実行する登録制御ステップと
を備えていることを特徴とする電子機器のタイトル情報登録方法。
【請求項１４】
記憶媒体に記録されたオーディオデータをユーザの音声によって検索する電子機器であって、
ユーザの音声を収音する収音手段と、
上記収音手段により収音された上記ユーザの音声を記憶する記憶手段と、
上記記憶手段に記憶された音声をタイトル情報として、上記オーディオデータに対応付けて登録するための制御を実行する登録制御手段と、
上記ユーザの音声を検索条件として新たに入力したタイトル情報と上記登録制御手段によって登録されているユーザの音声によるタイトル情報とを比較し一致しているか否かを判定する音声判定手段と、
上記判定手段による上記ユーザの音声を検索条件として上記登録制御手段によって上記記録媒体に登録された上記タイトル情報を検索する検索手段と
を備えていることを特徴とする電子機器。
【請求項１５】
上記音声判定手段によって一致していないと判定された場合に、一致していないことを警告する警告手段を備えることを特徴とする請求項１４に記載の電子機器。
【請求項１６】
上記音声判定手段によって一致していると判定された場合に、上記タイトル情報を上記ユーザの音声として出力する音声出力手段を
備えることを特徴とする請求項１４に記載の電子機器。
【請求項１７】
上記音声出力手段によって上記ユーザのタイトル情報が出力された後、所定時間内に操作を行うことによって上記検索手段による検索結果が確定することを特徴とする請求項１５に記載の電子機器。
【請求項１８】
記憶媒体に記録されたオーディオデータをユーザの音声によって検索する電子機器のタイトル情報検索方法であって、
ユーザの音声を収音する収音ステップと、
上記収音ステップにより収音された上記ユーザの音声を記憶する記憶ステップと、
上記記憶ステップに記憶された音声をタイトル情報として、上記オーディオデータに対応付けて登録するための制御を実行する登録制御ステップと、
上記ユーザの音声を検索条件として新たに入力したタイトル情報と上記登録制御ステップによって登録されているユーザの音声によるタイトル情報とを比較し一致しているか否かを判定する音声判定ステップと、
上記判定ステップによる上記ユーザの音声を検索条件として上記登録制御ステップによって上記記録媒体に登録された上記タイトル情報を検索する検索ステップと
を備えていることを特徴とする電子機器のタイトル情報検索方法。
【発明の詳細な説明】
【技術分野】
【０００１】
本発明は、例えば記録媒体に記録されたオーディオデータなどのデータについて、そのタイトルを示すタイトル情報を登録することのできる電子機器及び電子機器のタイトル情報検索方法に関するものである。
【背景技術】
【０００２】
例えば楽曲としてのオーディオデータが記録された記録媒体としては、１つには再生専用であるＣＤ(Compact Disc)が広く知られている。また、オーディオデータの書き換えが可能な記録媒体としては、例えば光磁気ディスクであるＭＤ(Mini Disc)が普及している。
【０００３】
そして、上記したＭＤに対して記録再生が可能なＭＤレコーダ／プレーヤにあっては、ディスク単位でのタイトルとなるディスクネームや、楽曲としてのトラック単位についてのタイトルとなるトラックネームなどのタイトル情報を入力して登録できるようになっている。また、ＣＤを再生可能なＣＤプレーヤにあっても、同様に、ＣＤに記録されてるＴＯＣ(Table Of Contents)といわれる管理情報との対応をとることで、タイトル情報を入力して登録できるようにしたものが知られている。
【発明の開示】
【発明が解決しようとする課題】
【０００４】
ところで、従来において上記したタイトル情報は文字情報とされる。従って、タイトル情報を登録する際には、ユーザは、例えば所定操作を行って任意の文字を入力するようにしていた。
このため、タイトル情報の登録のためにユーザが行う作業は比較的煩雑で面倒であり、また、時間がかかるものとなっている。
【課題を解決するための手段】
【０００５】
そこで、本発明は上記した課題を考慮して、タイトル情報の入力が、より容易な作業手順によって行えるようにして、タイトル情報を登録可能な機器としての利便性を向上させることを目的とする。
【０００６】
このため、記憶媒体に記録されたオーディオデータをユーザの音声によって登録する電子機器であって、ユーザの音声を収音する収音手段と、上記収音手段により収音された上記ユーザの音声を記憶する記憶手段と、上記記憶手段に記憶された音声をタイトル情報として、上記オーディオデータに対応付けて登録するための制御を実行する登録制御手段とを備えて電子機器を構成することにした。
【０００７】
また、記憶媒体に記録されたオーディオデータをユーザの音声によって検索する電子機器であって、ユーザの音声を収音する収音手段と、上記収音手段により収音された上記ユーザの音声を記憶する記憶手段と、上記記憶手段に記憶された音声をタイトル情報として、上記オーディオデータに対応付けて登録するための制御を実行する登録制御手段と、上記ユーザの音声を検索条件として新たに入力したタイトル情報と上記登録制御手段によって登録されているユーザの音声によるタイトル情報とを比較し一致しているか否かを判定する音声判定手段と、上記判定手段による上記ユーザの音声を検索条件として上記登録制御手段によって上記記録媒体に登録された上記タイトル情報を検索する検索手段とを備えて電子機器を構成することにした。
【発明の効果】
【０００８】
以上説明したように本発明は、例えばユーザが発した音声を収音して得られる音声信号データを音声タイトル情報として、例えば楽曲などのデータに対応させて登録することができる。つまり、音声タイトル情報の内容としては音声そのものをデータ化したものとされる。
例えば従来にあっては、タイトル情報は文字情報とされるために、タイトル情報の登録にあたっては、所定操作によって文字を入力するなどの面倒な操作が強いられていたのであるが、本発明では、このような操作は不要となり、これに代わって、音声をマイクロフォンなどに収音させるという簡単な作業で済むことになる。
また、ハードウェア的な側面からいえば、本発明では音声信号そのものをタイトル情報としていることで、これまでのような音声認識処理は不要となる。これによって、回路規模の拡大を抑えることができ、大幅なコストの削減も実現されることになる。
また、ユーザの音声がそのままタイトル情報とされることで、例えば或るデータに対応した伝言やメッセージなどのように、用途としてより広がりのある使い方をすることが可能になる。
【０００９】
また、この音声タイトル情報を提示する際には、音声タイトル情報としての音声信号データを音声として出力するようにされるのであるが、これは、例えば、上述したように音声認識を必要としないことと同様に、音声合成処理も不要とされることを意味する。そしてこの点によっても、回路規模の拡大とコストの削減図られるものである。
また、一般に合成音声は不自然かつ聞き取りにくいものなどであるが、本発明では、ユーザが録音した音声がタイトルとして出力されることから、聞き易いものとすることができるという利点も有している。
【００１０】
そして、上記のようにして音声タイトル情報を音声として出力して提示する場合としては、これに対応付けられたデータの再生出力時としているのであるが、この場合には、ユーザは、再生されるデータのタイトルを音声により確認することができ、例えば表示部を見て確認するなどの煩わしさがなくなるものである。
また、データのリストを出力する際に、このリストとして出力すべきデータに対応付けられたタイトル情報を音声により出力するようにすれば、やはりこの場合にもユーザは、データのリストのタイトルを音声により確認することができる。
【００１１】
また、検索条件として入力した音声の音声信号データと、音声タイトル情報としての音声信号データとを比較し、この比較結果に基づいて記録媒体に記録されたデータを検索するように構成される。
この構成によっても、上記の場合と同様に、音声認識処理は不要であり、また、実用上は、検索条件としての音声信号データと、音声タイトル情報の音声信号データとは、同じユーザの声による音声である場合が多いと考えられるために、この場合には、非常に高い精度で検索のための比較処理が行えることになる。
【００１２】
また、例えばハードディスクなどのような大容量の記録媒体をデータ用記録媒体として、このデータ用記録媒体に対してはデータと共に音声タイトル情報を記録するようにすれば、例えば、音声タイトル情報としての音声信号データを記録する領域としては、例えば通常の使用で要求される曲数以上に対応した所要以上のサイズを割り当てることは容易であり、音声タイトル情報記録のための領域確保及び管理は容易なものとすることができる。
【００１３】
これに対して、音声タイトル情報はメモリ素子により構成される記録媒体に対して記録しておくようにすることも考えられるが、この場合には、例えば音声タイトル情報にアクセスする際の速度を、より高速なものとすることができ、それだけ、音声タイトル情報の登録、及び音声タイトル情報を利用する各種制御処理を迅速に実行させることが可能となる。
【００１４】
また、データ用記録媒体がハードディスクなどの記録媒体ではなく、例えばＣＤ又はＭＤなどの本来オーディオソースなどのデータが専用に記録されるべきような記録媒体である場合、このデータ用記録媒体には、管理情報（ＴＯＣ）が記録されている。そこで、本発明としては、このＴＯＣと音声タイトル情報とを対応付けて登録できるようにも構成される。
このような構成とすれば、例えばデータ用記録媒体の内容をハードディスクにコピーするなどの作業を行わなくとも、当該電子機器にデータ用記録媒体を装填しさえすれば、この装填されたデータ用記録媒体のＴＯＣに対応して登録されている音声タイトル情報を利用して各種機能を実現することができる。
このようにして本発明ではタイトル情報を登録可能な機能を有する機器として大幅な利便性の向上が得られ、また、コスト的にも有利にこれを実現することができる。
【００１５】
そして、例えば本発明を車載用機器に適用した場合には、例えば、音声タイトル情報の登録や、音声タイトル情報を利用しての各種機能は、音声を入力することによって行え、また、タイトル情報の提示は音声によって出力されるために、運転者は、例えば操作部に対する操作や表示部の表示内容に気を奪われることなく、安全な運転を行うことが出来る。つまり、本発明としての利便性の向上がより有効に反映される。
【発明を実施するための最良の形態】
【００１６】
以下、本発明の電子機器としての実施の形態について説明する。本実施の形態の電子機器は、例えば自動車などに備えられる車載用オーディオ機器であるものとする。
なお、以降の説明は次の順序で行う。
１．車載用オーディオ機器の構成
２．音声タイトル情報の登録（第１の実施の形態）
３．オーディオデータ再生時におけるタイトル情報の出力
４．曲目リスト提示時におけるタイトル情報の出力
５．検索動作
６．音声タイトル情報の登録（第２の実施の形態）
７．音声タイトル情報の登録（第３の実施の形態）
【００１７】
１．車載用オーディオ機器の構成
図１は、本発明の実施の形態としての車載用オーディオ機器の内部構成例を示すブロック図である。
ＣＤプレーヤ部１に対しては、ＣＤを装填可能とされている。ここで、ＣＤプレーヤ部１においては、例えばここでは図示しない当該車載用機器のフロントパネルに設けられたＣＤ挿入口に対してＣＤを装填可能な構成とされても構わない。また、これも図示しないが所定複数枚のＣＤを収納可能なチェンジャ機構を備えたＣＤチェンジャとしての構成を採っても構わないものである。
【００１８】
そして、このＣＤプレーヤ部１では、再生可能位置に対して装填されたＣＤに対して再生を行って所要の信号処理を施して、デジタルオーディオデータとしてバスラインに２０を介して出力することができるようにされている。
【００１９】
上記ＣＤプレーヤ部１から出力されたデジタルオーディオデータは、先ず、第１メモリ２に対して転送されて一時保持される。例えばＣＤプレーヤ部１からは所定倍速によりディスク再生を行い、このようにして再生されたデジタルオーディオデータを第１メモリ２にて一時蓄積するようにしている。これにより、例えばいわゆるショックプルーフ機能も与えるようにしているものである。
そして、この第１メモリ２に保持されたデジタルオーディオデータは、ＤＳＰ(Digital Signal Processor)３に対して転送される。この時には、ＤＳＰ３の信号処理タイミングに同期して例えば所定のデータ単位によってＤＳＰ３に対してデータの転送が行われる。
ＤＳＰ３では、入力されたデジタルオーディオデータに対して、所定のデータ圧縮方式に従ってデータ圧縮処理を施すと共に、必要があれば、次に説明するハードディスク４ａへのデータ記録に適合する変調処理を施してバスライン２０に対して出力する。
【００２０】
ＤＳＰ３にて信号処理が施されたデジタルオーディオデータは、ハードディスクドライバ４に対して転送される。このときのデータ転送は、ハードディスクドライバ４に備えられるハードディスク４ａへの書き込みタイミングに同期して行われる。そして、ハードディスクドライバ４においては、転送されてきたデジタルオーディオデータをハードディスク４ａに対して書き込むようにされる。
【００２１】
ここまでの説明から分かるように、本実施の形態では、ＣＤプレーヤ１に記録されたオーディオデータを、ハードディスク４ａに対してコピーするようにして記録することができる。
ここで、周知のように、ＣＤに記録されるデジタルオーディオデータは、楽曲単位に対応するトラック単位で管理されている。また、ハードディスク４ａにおいては、例えばＦＡＴ(File Allocation Table)などに代表されるように、いわゆるファイルシステムによって記録データの管理が行われる。従って、ＣＤからハードディスク４ａに対してトラック単位のオーディオデータをコピーした場合、ハードディスク４ａでは、ファイルシステムによって、ディレクトリ形式のもとでトラック単位のデータを例えば１つのファイルとして管理することができる。
【００２２】
また、上記ハードディスク４ａに関すれば、近年においては数Ｇバイトの大容量のデータを記録可能なものが広く普及しており、従って、ハードディスク４ａに対しては、複数枚分のＣＤのデジタルオーディオデータを記録することが容易に可能とされる。また、上述したようにして、ハードディスク４ａには圧縮されたデジタルオーディオデータが記録されるようになっていることで、記録可能なコピーファイル数は、より多いものとすることができる。
そして、上記のようにしてＣＤのデータをハードディスク４ａにコピーすることで、例えばユーザが所有しているＣＤを利用して、ユーザが任意に楽曲のライブラリを作成することができる。
【００２３】
ハードディスク４ａに記録されたデジタルオーディオデータを再生する場合には、ハードディスクドライバ４において、制御部５により指定されるファイルナンバのデジタルオーディオデータをハードディスク４ａから読み出す。そしてこの読み出されたデジタルオーディオデータを、先ず第１メモリ２に対して転送してここで一時保持する。
第１メモリ２にて保持されたデジタルオーディオデータは、ＤＳＰ３の信号処理タイミングに応じたタイミングでＤＳＰ３に転送されて、ここで、復調処理、及びデータ伸長処理が実行されて、再度、第１メモリ２に対して転送される。この第１メモリ２に対して転送された復調処理後のデジタルオーディオデータは、音声出力部９に対して転送される。このときには、例えば音声出力部９内に備えられるとされる所要の機能回路部の信号処理速度に同期したタイミングで、第１メモリ２から音声出力部９に対してデータの転送を行う。
【００２４】
音声出力部９では、例えば、転送されてきたデジタルオーディオデータについて、Ｄ／Ａコンバータ１０によるアナログオーディオ信号への変換を行う。そして、この後、音声信号処理部１１による所要の音声信号処理を実行する。
ここで、音声信号処理部１１においては、例えば操作部１４に対して行われた音量調整、及び音質調整などの出力音声に関する各種信号処理が実行可能とされている。そして、最終的には例えば増幅等を行ってスピーカ１７に対して出力することで、ハードディスク４ａに記録されていたデジタルオーディオデータが音声として出力される。
なお、ここでは音声信号処理部１１は、Ｄ／Ａコンバータ１０によりアナログ信号に変換されたオーディオ信号に対して信号処理を施すものとされているが、例えばアナログ信号に変換されるまえのデジタルオーディオデータに対して信号処理を施すような構成とされても構わない。
なお、音声出力部９では、その構成によって、後述するようにして登録されたタイトル情報としてのデジタル音声データを入力して音声として出力することも可能とされる。
【００２５】
上記のようにして、本実施の形態では、ＣＤプレーヤ部１にて再生したデジタルオーディオデータをハードディスク４ａにコピーして、このハードディスク４ａに記録されたデジタルオーディオデータを再生可能とされているが、ＣＤプレーヤ部１にて再生したデジタルオーディオデータを直接、再生音声として出力することも可能とされる。
つまり、ＣＤプレーヤ部１にて再生したデジタルオーディオデータを第１メモリ２に転送して一時蓄積したのち、第１メモリ２から、再生用オーディオデータとして、音声出力部９に対して転送するようにされる。これにより、音声出力部９からスピーカ１７を介して、ＣＤプレーヤ部１にて再生したデジタルオーディオデータが再生音声として出力されることになる。
また、本実施の形態では、ＣＤプレーヤ部１にて再生されたデジタルオーディオデータを、制御部５の制御によって、適宜所定タイミングでハードディスクドライバ４と、音声出力部９の両者に転送するようにすることで、現在ＣＤプレーヤ部１にて再生されるデジタルオーディオデータの音声出力をモニタしながら、ハードディスク４ａへコピーするという動作を実行させることも可能とされる。
【００２６】
また、本実施の形態においては、後述するようにして、ユーザが発して収音した音声を、ハードディスク４ａに記録されたデジタルオーディオデータ、又は、ＣＤプレーヤ部１にて装填されたＣＤに記録されたデジタルオーディオデータに対応させてタイトル情報として登録することができるようになっている。
また、タイトル情報としては、いわゆるファイルネーム又はトラックネームとしてファイル／トラック単位に登録することができ、また、これに加えてＣＤとしてのディスク単位で、ディスクネームとして登録することも可能である。
【００２７】
このタイトル情報を登録する際には、ユーザが音声を発したときの車内の音声をマイクロフォン１５及びマイクロフォン１６により収音するようにされる。ここで、マイクロフォン１５は主としてユーザの音声を収音できるような位置に設けられており、マイクロフォン１６は、ユーザ音声以外の周囲の雑音としての音声を主として収音できるような位置に設けられているものとされる。
マイクロフォン１５及びマイクロフォン１６にて収音された音声は、音声処理部６に入力される。
【００２８】
マイクロフォン１５により収音されたユーザの音声には周囲の雑音も混入している。そこで、ノイズキャンセラ８では、マイクロフォン１５により収音された音声から、マイクロフォン１６により収音された周囲の音声を減算することで、周囲の雑音がキャンセルされたユーザの音声信号を得るようにされる。
そして、音声処理部６にあっては、マイクロフォン側から入力されたアナログ音声信号をＡ／Ｄコンバータ７によりデジタル信号に変換することで音声信号データを得る。
なお、音声処理部６内の構成としては、ノイズキャンセラ８をＡ／Ｄコンバータ７の前段に設けて、マイクロフォン１５，１６にて収音されたアナログ音声信号に対してノイズキャンセルを行うようにしてもよいし、逆にノイズキャンセラ８をＡ／Ｄコンバータ７の後段に設けることで、マイクロフォン１５，１６にて収音された音声信号をデジタル音声信号に変換した後にノイズキャンセルを行うようにしてもよい。
【００２９】
上記のようにして音声処理部６においては、ユーザの発した音声についてノイズキャンセルを施した上で、音声信号データに変換して出力する。
このようにして得られた音声信号データは、所定の記録媒体に記録されたうえで、タイトル情報として登録されることになる。つまり、本実施の形態ではユーザの音声を録音して得られた音声信号データをタイトル情報とする。
なお、このタイトル情報としての音声信号データの記録先としては、後述する実施の形態としての構成によって異なるものとされる。そこで、音声処理部６から出力されるタイトル情報についての以降の処理については、各実施の形態において後述することとする。
また、以降においては、このユーザの発した音声を音声信号データ化して得られるタイトル情報を、特に「音声タイトル情報」ということにする。
【００３０】
ここで、音声処理部６において、収音したユーザ音声を音声信号データに変換するのにあたって、その方式は特に限定されるものではないが、例えばその用途上、特に高音質である必要は無いことを考えると、ＡＤＰＣＭ(Adaptive Differential Pulse Code Modulation)方式を採用することができる。ＡＤＰＣＭ方式を採用すれば、実用上充分な音質を確保した上で、比較的少ないデータ量により音声信号データを得ることができる。
このＡＤＰＣＭ方式は、例えば図２（ａ）に示されるように、音声信号波形を所定のサンプリング周波数に従ってサンプリングするのに、各サンプリングごとに基本となる量子化幅Δを適応的に変化させる。そして、この情報を、３〜４ビットのデータに符号化するものである。
例えばこの場合には、図２（ｂ）に示すようにして、各サンプリング周期ごとに４ビットの情報としている例が示されている。この４ビットによる場合、上位１ビットにより、量子化幅Δを変化させる際の極性を示し、下位３ビットにより量子化幅Δを何倍にするのかを決定するようにしている。
【００３１】
ここで、ＡＤＰＣＭ方式としてのサンプリング周期を４ＫＨｚとすると、ビットレートは
４Ｋ（Ｈｚ）×４（ビット）＝１６Ｋｂｐｓ
で表されることになる。従って、例えば１つの音声タイトル情報が一律に３秒の音声であると仮定して、６００曲（ファイル）分のタイトルを登録しようとすれば、
１６Ｋ×３×６００＝２８．８Ｍビット
となり、２８．８Ｍビットが必要とされることになる。
ここで例えば、２８．８Ｍビットの音声タイトル情報をＥＥＰＲＯＭやフラッシュメモリなどのメモリに記憶するとした場合、現実的には３２Ｍビットのメモリがあればよいことになるのであるが、近年においては、この程度の容量のメモリはコスト的にも安価に得ることができる。つまり、６００曲分の音声タイトル情報を登録してこれを記憶保持することは、充分に現実的であるといえる。
【００３２】
第２メモリ１２は、上記した音声処理部６にて得られた音声信号データを音声タイトル情報として登録する際に、音声信号データを一時保持、若しくは、記憶するためのメモリとされるのであるが、詳細については後述する。
【００３３】
表示部１３は、当該車載用オーディオ機器に備えられるもので、例えば液晶ディスプレイなどの表示デバイスを備えて成る。そして、例えば制御部５の制御によって、そのときの動作状況に応じた所要の内容を表示するものである。
また、操作部１４は、当該車載用オーディオ機器に対する各種操作を行うための操作キー等が備えられる操作部位とされる。この操作部１４に対して操作が行われた場合には、その操作に対応した操作情報をバスライン２０を介して制御部５に対して送信するようにされる。制御部５は、この操作情報に応じた動作が得られるように所要の機能回路部に対して制御を実行する。
【００３４】
制御部５は、例えばいわゆるリアルタイムＯＳ(Operation System)を搭載したＣＰＵや、バスライン２０を介しての各機能回路部間のデータ転送を制御する専用ゲートアレイなどを備えて構成される。そして、上記したように操作部１４に対する操作に応じて各機能回路部に対する制御を実行し、また、各機能回路部間のデータの転送制御を行う。
【００３５】
２．音声タイトル情報の登録（第１の実施の形態）
続いて、第１の実施の形態としての音声タイトル情報の登録動作について、図３のフローチャートを参照しながら説明していくこととする。
この第１の実施の形態にあっては、ハードディスク４ａにコピーされたデジタルオーディオデータに対応付けて、ファイル単位で音声タイトル情報を登録すると共に、このタイトル情報をハードディスク４ａに記録する。
【００３６】
図３に示す処理は、ユーザが所定操作を行ったことにより、ＣＤプレーヤ部１にて再生している或るトラックのデジタルオーディオデータを、ファイルとしてハードディスク４ａにコピーさせており、このコピー動作中において、ファイルとしてコピーされるデジタルオーディオデータのタイトル情報を登録している場合の処理とする。つまり、ここでは、ハードディスク４ａに対してファイルとしてコピー中にあるデジタルオーディオデータについての音声タイトル情報の登録が行えるものとしている。なお、この図に示す処理は制御部５が実行する。
【００３７】
この図に示す処理にあっては、先ず、ステップＳ１０１においてタイトル音声としての入力が行われるのを待機している。例えば、ユーザは、タイトル音声を入力する場合には、これよりタイトル音声を入力するためのキー操作などを行って、この後、所定時間内に音声をマイクロフォンに対して発するようにすればよい。
そして、ステップＳ１０１において、マイクロフォン１５，１６を介して、音声処理部６に対してユーザの発した音声が入力されたことが判別されると、ステップＳ１０２に進むことになる。
ステップＳ１０２においては、入力された音声が音声タイトル情報としての音声信号データに変換されるように、音声処理部６に対する制御を実行する。そして次のステップＳ１０３において、この音声処理部６にて得られた音声タイトル情報としての音声信号データを第２メモリ１２に対して転送して書き込みを行うための制御を実行する。
【００３８】
次のステップＳ１０４においては、ＣＤプレーヤ部１にて再生されてハードディスク（図では「ＨＤ」と記す）４ａにコピーされるデジタルオーディオデータの記録が終了したか否かを判別する。そして、ここで記録が終了していないと判別されれば、ステップＳ１０５にて待機処理を実行してステップＳ１０４に戻るようにされる。
そして、ステップＳ１０４においてハードディスク４ａに対するデジタルオーディオデータの記録が終了したことが判別されると、ステップＳ１０６に進んで、音声タイトル情報としての音声信号データを。第２メモリ１２からハードディスクドライバ４に対して転送して、ハードディスク４ａに対して記録する。
【００３９】
ここで、ハードディスク４ａに対して記録再生が行われるデータは、前述したようにファイルシステムによって管理されているものとされる。このファイルシステムの管理は、制御部５が実行している。
そこで、ステップＳ１０７においては、上記ステップＳ１０６の処理によってハードディスク４ａに記録された音声信号データが、ハードディスク４ａにコピーされたデジタルオーディオデータとしてのファイルに対応付けされた音声タイトル情報として登録されるようにファイルシステム上での管理を行うようにされる。
【００４０】
そして、例えばユーザがファイルごとに音声タイトル情報を登録するための作業を行うごとに上記した処理が実行されることで、例えば、ファイルシステム上では、図４に示すようにして、ハードディスク４ａに記録されたデジタルオーディオデータのファイルと音声タイトル情報が管理されることになる。
【００４１】
図４には、先ずハードディスク４ａに記録されたデジタルオーディオデータのファイルのファイルナンバが示されており、これらの各ファイルナンバに対応して、ハードディスク４ａに記録されたデジタルオーディオデータとしてファイルのクラスタアドレスの情報が示される。つまり、デジタルオーディオデータのファイルが記録された記録領域がファイルナンバごとに示される。そして、これらのファイルナンバ、クラスタアドレスに対して、ファイルネームの情報が対応付けされて管理される。つまり、音声タイトル情報としての音声信号データが対応付けさられる。なお、ここでは示されていないが、必要があればファイルネームである音声タイトル情報が記録されたハードディスク４ａ上でのクラスタアドレスが記述されてよいものである。
【００４２】
例えばこの図４の場合であれば、ファイルナンバ００１のファイルには、音声タイトル情報Ａとしての音声信号データがファイルネームとして対応付けられることになる。
以下、同様にして、ファイルナンバ００２〜００４・・・のファイルには、音声タイトル情報Ｂ〜Ｄ・・・・としての各音声信号データがファイルネームとして対応付けられる。
【００４３】
なお、ハードディスク４ａ上では、上記したファイルシステムによって、例えば或る１つのフォルダ内に、或る１枚のＣＤからコピーした内容がふくめられるように管理することも可能であり、従って、上記したフォルダに対して音声タイトル情報を対応付けるようにしてファイルシステムで管理するようにすれば、ハードディスク４ａにコピーされた或るＣＤ１枚分の内容を纏めて、ディスクネームとして登録することも可能である。
【００４４】
また、先の図３にあっては、ＣＤプレーヤ部１から再生したデジタルオーディオデータをハードディスク４ａにコピーしているときに、音声タイトル情報を登録するための処理が実行されている場合を示したが、例えば、既にハードディスク４ａにコピーされたデジタルオーディオデータに対応して音声タイトル情報を登録することも可能とされるものである。
【００４５】
３．オーディオデータ再生時におけるタイトル情報の出力
例えば従来においては、或るファイル、若しくはトラックとしてのデジタルオーディオデータを再生するのにあたり、文字情報として登録されたタイトル情報を文字によって表示部などに出力することで、再生されるタイトルを提示していた。
これに対して本実施の形態においては、上記図４に例示するようにして登録された音声タイトル情報に基づけば、ファイル再生に際して、音声タイトル情報を音声出力することによって、再生されるファイルのタイトルをユーザに提示することができる。
そこで次に、ファイル再生に際して、そのタイトルを音声によって出力するための動作について、図５のフローチャートを参照して説明する。なお、ここでは、ファイルを再生開始する直前に、そのタイトルを音声によって出力するようにした場合の構成を示す。また、この図に示す処理も制御部５が実行する。
【００４６】
図５に示す処理においては、先ずステップＳ２０１において、ハードディスク４ａに記録されているファイルのうち、或るファイルの再生開始タイミングに至るのを待機している。
ここで、ファイルの再生開始タイミングに至る場合とは、例えば１つには、ユーザが或るファイルを指定して再生開始をさせるための操作を行った場合が挙げられる。また１つには、所定のファイル順に従ってファイルを連続的に再生している途中で、これまで再生していたファイルの再生が終了して次のファイルの再生を開始すべきタイミングに至った場合が挙げられる。そして、このような状況に至ったのであればステップＳ２０１において肯定結果が得られて、ステップＳ２０２に進む。
【００４７】
ステップＳ２０２においては、現在のファイルシステムの管理状況を参照することで、再生開始すべきファイルのファイルナンバに対応する音声タイトル情報を検索する。そして、ハードディスク４ａからこの検索された音声タイトル情報としての音声信号データが読み出されるようにするための制御をハードディスクドライバ４に対して行う。
そして、次のステップＳ２０３において、ハードディスク４ａから読み出された音声タイトル情報としての音声信号データを音声出力部９に対して転送する。これにより、音声出力部９からは、音声タイトル情報としての音声信号データを、スピーカ１７から音声として出力するようにされる。つまり、ファイル再生に先立って、これより再生されるファイル名を、ユーザが先に登録したユーザ自身の音声によって出力して提示するようにされる。
【００４８】
そして、この後のステップＳ２０４において、先のステップＳ２０１にて再生開始すべきとされたファイルを、再生開始するための制御を実行する。これにより、上記音声タイトル情報としての音声に続けて、ファイルの再生音声がスピーカ１７から出力されることになる。
【００４９】
４．曲目リスト提示時におけるタイトル情報の出力
また、本実施の形態においては、ハードディスク４ａに記録されている、楽曲としてのデジタルオーディオデータのファイルについて、曲目リストとして提示することも可能とされ、このときにも、そのリストを音声により読み上げるように構成される。
【００５０】
図６は、このために制御部５が実行する処理動作を示している。
例えば、この図に示す処理にあっては、先ずステップＳ３０１において、ユーザの操作部１４に対する操作として、曲目リストを出力させるため操作が行われるのを待機している。そして、曲目リスト出力のための操作が行われたことが判別されると、ステップＳ３０２に進むようにされる。
【００５１】
ステップＳ３０２においては、曲目リストを表示部１３に対して表示出力するための制御を実行する。
このために、制御部５は、ファイルシステムによりハードディスク４ａに記録されているデジタルオーディオデータファイルのうちから、例えばユーザが指定した条件に適合するファイルを検索し、その検索されたファイルを、例えばユーザが操作によって指定したソート順に従って一覧表示させる。
【００５２】
図７には、このようにして表示部１３に対して表示された曲目リストの表示形態例を示している。
この場合には、表示部１３に対して先ず、リスト順を示すリストナンバが示される。これは例えばソート順に対応する。そしてこの場合には、リスト順がファイルナンバ順とされており、ファイルがファイルナンバ順に従って一覧表示されている例が示されている。また、各ファイルナンバに対応しては、そのファイルをハードディスク４ａに記録した記録日時が示されている。なお、この曲目リストの表示形態例はこの図に示したものに限定されることなく、変更可能である。
【００５３】
上記ステップＳ３０２による曲目リストの表示が完了したとすると、制御部５は、ステップＳ３０３に進んで、図７に示したリストナンバとしての変数ｎについてｎ＝１とする。
そして、次のステップＳ３０４においては、リストナンバｎに対応するデジタルオーディオデータファイルの音声タイトル情報をハードディスク４ａから読み出すための処理を実行する。
このためには、現在のリストナンバｎに対応して表示されているデジタルオーディオデータファイルのファイルナンバを特定する。そして、この特定したファイルナンバの音声タイトル情報をファイルシステムにより検索し、この検索した音声タイトル情報としてのデジタル音声情報をハードディスク４ａから読み出すための制御を実行するものである。
そして、次のステップＳ３０５において、この読み出した音声タイトル情報としてのデジタル音声情報を音声出力部９に対して転送することで、現在リストナンバｎとされているファイルに対応した音声タイトル情報が、実際に音声として出力される。
ここで、例えば図７に示す表示が行われている状況のもとで、ステップＳ３０５の処理が、最初に実行されたものであるとすれば、ハードディスク４ａに記録されているファイルのうち、リストナンバ１として提示されているファイルナンバ００１のファイル名が音声として出力されるものである。そして、この時出力される音声としては、ユーザが音声タイトル情報登録時において録音した、ユーザ自身の音声とされることになる。
【００５４】
そして、このステップＳ３０５の処理が終了すると、ステップＳ３０６において、現在の変数ｎについて最大値とされているか否かについて判別を行うようにされる。つまり、曲目リストとして提示した全てのファイルについての音声タイトル情報の音声出力が完了したか否かが判別される。ここで、まだ、曲目リストとして提示したファイルのうち、音声タイトル情報の音声出力が完了していないファイルが残っている場合には、ステップＳ３０７にて変数ｎについてインクリメントを行って、ステップＳ３０４の処理に戻るようにされる。この処理が繰り返されることで、順次、リストナンバ順に従って、リストとして提示されているデジタルオーディオデータファイルのタイトルを音声として出力することが行われていく。
そして、最終的にステップＳ３０６にて肯定結果が得られれば、この処理を抜けることになる。
なお、ここではその処理動作を図示していないが、或るタイトルが音声として出力されたタイミングで、例えばユーザが再生のための操作を行えば、そのタイトルが音声として出力されたデジタルオーディオデータファイルの再生を開始させることが可能である。
【００５５】
５．検索動作
これまでの説明からも分かるように、本実施の形態では、ユーザが録音した自身の音声をデジタル信号化して、これを音声タイトル情報として登録するようにされる。
そこで本実施の形態としては、例えばハードディスク４ａに記録されたデジタルオーディオデータファイル（又はＣＤ単位のデジタルオーディオデータ）のうちから所望のファイルを検索するのに、次のような構成を採ることができる。
つまりユーザは、検索条件としてファイルのタイトルを音声として入力する。そして、この入力された検索条件としての音声信号と、音声タイトル情報として登録された音声信号とを比較することでファイル検索を行うようにするものである。
そこで次に、このようなユーザの音声を検索条件として利用したファイル検索を実現するための処理動作を図８に示す。
【００５６】
この図８に示す処理にあっては、先ずステップＳ４０１において、マイクロフォン１５，１６から検索条件としてのユーザの音声が入力されるのを待機している。
例えば、ユーザが検索開始のための所定操作を行い、この後にマイクロフォン１５，１６に対して音声を入力したとすると、この時の音声が検索条件の入力であるとして判定され、ステップＳ４０２に進むようにされる。
【００５７】
ステップＳ４０２では、マイクロフォン１５，１６により収音した検索条件としてのユーザの音声が音声信号データに変換されるように、音声処理部６に対する制御を実行する。そして、次のステップＳ４０３において、上記のようにして得られた音声信号データを、例えば第２メモリ１２に書き込むなどして、検索用音声データとして保持する。つまり、検索条件としての音声データとして扱うものである。
そして、次のステップＳ４０４においては、ファイルシステムにより現在登録されている音声タイトル情報について、例えばハードディスク４ａからファイルナンバ順に読み出しを行う。そして、第２メモリ１２に保持されている検索用音声データとの比較を行う。
つまり、音声タイトル情報としての音声信号データと、検索用音声データとしての音声信号データとについて、そのデータ値の比較を行って、実際には、そのデータ値が一致していると見なされる程度の所定以上の近似率が得られるか否かを判定するものである。
そして、このような処理を実行していった結果として、次のステップＳ４０５において、検索用音声データと一致した判定された音声タイトル情報が在ったか否かが判定される。そして、否定結果が得られた場合には、ステップＳ４０９に進んで、検索結果として一致するファイルが無かったことを示す警告を所定の出力形態によって行う。ここで、この警告出力としては、例えばエラーを示し得る音声であっても、また、表示部１３に対する所定の表示内容による表示出力であっても、また、両者を併用してもよいものである。そして、このルーチンを抜けるようにされる。
【００５８】
一方、ステップＳ４０５において一致の判定が得られた場合にはステップＳ４０６に進む。
ステップＳ４０６においては、一致の判定結果が得られた音声タイトル情報を音声としてスピーカ１７から出力させるための制御処理を実行する。つまり、一致の判定結果が得られた音声タイトル情報をハードディスク４ａから読み出して、音声出力部９に対して転送する。
【００５９】
上記ステップＳ４０６の処理により、検索結果として該当するとされたファイルの音声タイトル情報が、実際にユーザの音声として出力されることになる。
ユーザはこの音声タイトル情報として出力された音声を聴いて、これが自分が検索したいと思っていた目的のファイルであるか否かを確認することができる。そして、例えばこの音声が出力されて後、所定時間以内に、この検索結果がＯＫであることを示す操作を操作部１４に対して行うことができる。
【００６０】
ステップＳ４０７では、このＯＫ操作が行われるのを所定時間待機している。そして、ＯＫ操作が所定時間内に行われない場合には、ステップＳ４０１に戻るようにされることで、ユーザは再度検索条件としての音声を入力して、検索のやり直しを行うことができる。
【００６１】
これに対してステップＳ４０７において所定時間内にＯＫ操作が行われたとされればステップＳ４０８に進む。
ステップＳ４０８では、上記ステップＳ４０６にて出力された音声タイトル情報に対応するファイルを正規の検索結果として確定する。そして、このルーチンを抜ける。
なお、この図には示していないが、例えばステップＳ４０８にて確定されたファイルの再生を開始するための制御処理がこの後実行されるようにしてもよいものである。
【００６２】
これまでの説明から分かるように、本実施の形態では、例えばハードディスク４ａに記録されたデジタルオーディオデータファイルのファイル名を、音声タイトル情報として登録することが可能とされる。そして、この音声タイトル情報は、文字情報ではなく、ユーザ自身が入力した音声を、そのまま音声信号データとした情報とされる。そして、この音声信号データとしての音声タイトル情報を利用して、例えばデジタルオーディオデータファイル再生時や曲目リスト出力時にファイル名を音声そのものとして出力したり、また、ユーザが検索条件として入力した音声と、音声タイトル情報としての音声信号を比較することで検索を行うことができる。
【００６３】
例えば従来のようにタイトル情報を文字情報として入力して登録する場合には、ユーザは操作部に対して文字入力のための操作を行う必要があった。また、タイトル情報が文字情報であることを前提としての検索であれば、やはり、検索条件の入力には、タイトルを文字情報として入力する必要がある。
このような文字情報の入力は、一般の電子機器では、限られた操作部のキーを使用する都合上、面倒で煩わしいものとされている。特に、本実施の形態のような車載用機器にあっては、運転者としてのユーザは、前方を注視しながら運転を行わねばならないため、運転中の文字入力操作は行えない。従って、上記したようなタイトル情報の登録や検索などは、停車中でなければ出来ずにいたものである。
【００６４】
これに対して本実施の形態では、ユーザが発した音声を音声信号データ化したものが、そのままタイトル情報の内容となる。従って、ユーザはマイクロフォンに向かってタイトルを言葉で発するだけでよいことになり、運転中であっても、安全にタイトル情報を登録することが可能になる。また、ファイルの提示も音声によって行われるために、表示部を見てそのタイトルを確認する必要も無くなる。つまり、運転中において表示部を見ることなく、音声によってファイルを確認することができるものである。
【００６５】
また、本実施の形態のように、ユーザが発した音声を音声信号データ化した情報をそのままタイトル情報として登録することで、例えば、いわゆる音声認識処理は不要となる。また、タイトル情報を音声として出力する際にも、音声合成処理を実行する必要が無い。
従って本実施の形態では、音声によるタイトル情報の登録機能を実現するのに、音声認識処理と音声合成処理のための構成を備える必要が無く、構成としてはより簡易なものとなり、低コスト化も図ることが可能になる。
【００６６】
また、例えば上記実施の形態にあっては、再生専用であるＣＤのソースに対してタイトル情報を登録する場合が示されているのであるが、例えば、ＭＤなどのようなデジタルオーディオデータが記録可能なメディアを考えてみた場合、その記録容量の問題で、タイトル情報としてはデータ量の小さな文字情報とすることが妥当で、音声情報をタイトル情報として登録して記録しておくことが技術的に難しい。
この場合の音声タイトル情報は、例えばＡＤＰＣＭ方式によりデジタル信号化された比較的短時間の音声信号データであるためさほどのデータ量では無いものの、文字情報データに比較すれば比較的大きな容量となる。このため、やはりＭＤのような記録媒体に対して、音声タイトル情報を記録することは難しい。
【００６７】
これに対して本実施の形態においては、ハードディスク４ａを備え、このハードディスク４ａに対してデジタルオーディオデータファイルと音声タイトル情報を記録するようにされる。
これにより、デジタルオーディオデータだけではなく、音声タイトル情報としての音声信号データの記録容量も充分に得ることができることになる。また、その管理もファイルシステムによって問題なく行われる。
【００６８】
また、上述した本実施の形態の検索動作にあたっては、検索条件を音声として入力するようにされているが、通常の使用形態であれば、先に音声タイトル情報を登録したユーザと、検索を行うユーザは同一人物であることが多いということが想定される。特に、本実施の形態のように車載用オーディオ機器とされていれば、その確率は高くなる。
従って、本実施の形態の場合、検索条件として入力された音声信号と、音声タイトル情報としての音声は非常に近似したデータとされることになる。従って、例えば先にも述べたような音声認識処理を用い、この音声認識結果に基づいて検索を行うような構成と比較した場合には、相当に精度の高い検索動作が得られるものである。
【００６９】
６．音声タイトル情報の登録（第２の実施の形態）
先に説明した第１の実施の形態としての音声タイトル情報の登録にあっては、音声タイトル情報としての音声信号データをハードディスク４ａに記録して、デジタルオーディオデータファイルと共にファイルシステム上で管理する形態を採っていた。
これに対して、第２の実施の形態としては、音声タイトル情報としての音声信号データを登録するのにあたり、第２メモリ１２に音声タイトル情報を書き込んで記憶するようにされる。つまり、この場合には第２メモリ１２が音声タイトル情報を記録する記録媒体として利用される。このため、第２の実施の形態にあっては、第２メモリ１２は、ＥＥＰＲＯＭやフラッシュメモリなどの不揮発性メモリを備えて構成される必要がある。このようにして、音声タイトル情報をメモリ素子に対して記憶させておけば、例えばハードディスクなどと比較して、そのアクセスに要する時間は大幅に短縮されるため、音声タイトル情報の登録時はもちろんのこと、音声タイトル情報を利用した各種制御処理をより迅速に実行することが可能になる。
なお、この第２の実施の形態にあっても、音声タイトル情報と対応付けが行われるデジタルオーディオデータは、ハードディスク４ａに記録されているものとされる。
【００７０】
図９は、このような第２の実施の形態に対応しての、音声タイトル情報の登録処理を示すフローチャートである。なお、この第２の実施の形態としての音声タイトル情報の登録処理は、例えば第１の実施の形態の場合と同様に、ＣＤプレーヤ部１から再生したデジタルオーディオデータをハードディスク４ａにコピーする動作を並行して実行されてもよいのであるが、ここでは、既にハードディスク４ａにコピーされているデジタルオーディオデータに対応させて音声タイトル情報を登録する場合の処理を例に挙げることとする。
【００７１】
図９に示す処理に先立ち、例えばユーザは、音声タイトル情報を登録すべきデジタルオーディオデータファイルを選択した上で、音声タイトル情報を登録するための操作を行っているものとする。
この音声タイトル情報を登録すべきデジタルオーディオデータファイルをどのように選択するのかについては多様に考えることが出来るが、１つには運転の安全性等を考慮して、再生中のデジタルオーディオデータファイルを選択されたファイルとして扱うようにすることが考えられる。
そして、音声タイトル情報を登録するための操作が行われた後において、制御部５は、ステップＳ５０１以降の処理に移行する。ここで、ステップＳ５０１→Ｓ５０２に至る処理は、先に図３に示したステップＳ３０１→Ｓ３０２の処理と同様となることから、ここでの説明は省略する。
【００７２】
そして、次のステップＳ５０３において、上記ステップＳ５０２において得られた音声タイトル情報としてのデジタル音声情報を第２メモリ１２に転送して書き込みを行う。以降、この音声タイトル情報は、第２メモリ１２に記憶されることになる。
【００７３】
そして、次のステップＳ５０４においては、ハードディスク４ａのファイルシステムを参照して、音声タイトル情報を登録すべきとして現在選択されているデジタルオーディオデータファイルのファイルナンバを特定し、このファイルナンバをハードディスク４ａから読み出して第２メモリ１２に転送して書き込みを行う。
【００７４】
そして、次のステップＳ５０５において、これまでの処理により第２メモリ１２に書き込まれた音声タイトル情報とファイルナンバについて、この第２メモリ１２上で対応付けが行われて管理されるための処理を実行する。つまり音声タイトル情報の登録処理を実行する。
【００７５】
例えば、ユーザが音声タイトル情報の登録操作を行い、その都度、上記図９に示した処理が実行されることで、結果的に、第２メモリ１２上では、図１０に示すようにして、音声タイトル情報が管理される。
つまり、ハードディスク４ａから読み出して記憶したファイルナンバの各々に対して、或る１つの音声タイトル情報が対応付けられるようにして管理されるものである。  ここでは、ファイルナンバ００１〜００４・・・の各ファイルナンバに対して、それぞれ音声タイトル情報Ａ〜Ｄ・・・がファイルネームとして対応付けられて管理された状態が示されている。
なお、この場合にも、ハードディスク４ａのファイルシステムにより例えばＣＤ１枚分に対応するフォルダのディレクトリの情報をファイルナンバとして書き込むことで、ＣＤ１枚分のデジタルオーディオデータに対応したディスクネームとして音声タイトル情報が管理されるようにすることが可能である。
【００７６】
そして、このようにして第２メモリ１２上で音声タイトル情報が登録された場合にも、先に述べたオーディオデータ再生時におけるタイトル情報の出力、曲目リスト提示時におけるタイトル情報の出力、及び検索動作を行うことが可能である。この場合には、音声タイトル情報を読み出す必要のあるときは、ハードディスク４ａではなく、第２メモリ１２から読み出すようにされる。
そしてまた、この音声タイトル情報に基づいてハードディスク４ａに記録されたデジタルオーディオデータを読み出すなど、音声タイトル情報とデジタルオーディオデータを対応させる必要のある場合には、第２メモリ１２上で、音声タイトル情報が対応付けられているファイルナンバを参照する。そして次はハードディスク４ａのファイルシステムを利用して、参照したファイルナンバにより示されるデジタルオーディオデータをハードディスク４ａから読み出すようにすればよい。
【００７７】
７．音声タイトル情報の登録（第３の実施の形態）
上記第１及び第２の実施の形態にあっては、音声タイトル情報が対応付けられるべきデジタルオーディオデータは、ハードディスク４ａに記録されているデータであるとしていた。
ここで、例えばＣＤにおいては、そのリードインエリアに対して、ＴＯＣといわれる管理情報が記録されており、このＴＯＣに記録された内容により、そのＣＤの総再生時間、トラック数、及びトラックごとの再生時間等を把握することができるようになっている。従って、このＴＯＣ情報はＣＤごとに固有となる情報と見ることができる。
そこで、第３の実施の形態としては、このＣＤから読み出したＴＯＣ情報と、音声タイトル情報とを対応付けて登録するようにされる。この第３の実施の形態としての音声タイトル情報の登録について、以下説明する。なお、以降の説明において、音声タイトル情報は第２メモリ１２に記憶されて登録が行われるものとする。従って、この場合にも第２メモリ１２としては、不揮発性メモリが採用される。
【００７８】
ユーザはタイトル音声情報を登録したいとするＣＤをＣＤプレーヤ部１に対して装填しておくようにされる。そして、この第３の実施の形態としての音声タイトル情報の登録にあっては、このＣＤプレーヤ部１に装填されたＣＤからＴＯＣ情報を読み出して、例えば第２メモリ１２に書き込んで記憶させるように制御部５が制御を実行する。
そして、ユーザは、所定の登録操作を行いながら、このＣＤに記録されているトラックごとに対応するトラックネームとしてのタイトル音声、又はＣＤ自体に対応するディスクネームとしてのタイトル音声をマイクロフォン１５，１６に入力する。この入力された音声は、やはりこの場合にも音声タイトル情報である音声信号データに変換されて、第２メモリ１２に対して書き込みが行われる。
そして、制御部５は、第２メモリ１２上において、書き込みが行われたＴＯＣと音声タイトル情報とについて対応付けを行うようにして登録を行う。
そして、この手順をＣＤごとに行えば、第２メモリ１２の容量に余裕がある限り、複数枚のＣＤについて、それぞれ、音声タイトル情報を対応付けて登録することができる。
【００７９】
そして、このようにして音声タイトル情報を登録した場合、実際の第２メモリ１２上における管理形態としては、例えば実際には図１１に示すものとなる。
つまり、図１１（ａ）に示すように、第２メモリ１２においては、先ずそれぞれ異なるＣＤから読み込んだＴＯＣの情報が、ＴＯＣファイル１，２・・・として記憶される。
そして、各ＴＯＣファイルに対しては、タイトルデータが対応付けられるようにして記憶される。このタイトル情報は、図１１（ｂ）に示すようにして、例えばディスクタイトルとしての音声タイトル情報に続き、そのＴＯＣファイルを有するＣＤに記録されているトラックごとに対応付けるようにして音声タイトル情報が格納されて形成される。
【００８０】
このような管理形態により登録された音声タイトル情報は、オーディオデータの再生時には次のようにして利用することができる。
例えば、ＣＤプレーヤ部１に或るＣＤが装填されたときに、制御部５は、その装填されたＣＤから読み出したＴＯＣの内容と、第２メモリ１２に記憶されているＴＯＣの内容とを比較する。そして一致した内容のＴＯＣがあれば、この一致したＴＯＣに対応したタイトルデータとして記録されているディスクネームを読み出してディスクネームを出力することができる。そして、ＣＤプレーヤ部１にてトラックを再生して音声出力させる場合には、そのトラックの再生に際して、そのトラックに対応付けされた音声タイトル情報を第２メモリ１２から読み出して、音声として出力させることができる。
そして、このような第３の実施の形態によれば、例えばＣＤの記録内容をコピーするためのハードディスクドライバ４などを備えなくとも、複数枚のＣＤに対応して音声タイトル情報を登録することが可能になるものである。
【００８１】
なお、本発明としては上記した実施の形態に限定されるものではない。例えば、音声タイトル情報を登録する際の操作形態については、多様に考えられるものである。
また、車載用オーディオ機器としての構成も図１に示したものに限定されるものではなく、ＣＤプレーヤ部１の代わりに、例えばＭＤやＤＡＴなどの他のオーディオレコーダ／プレーヤ部が採用されても構わない。例えば、第３の実施の形態に関すれば、ＴＯＣに相当する管理情報が記録されるフォーマットを有する記録媒体に対応したオーディオレコーダ／プレーヤ部であればよいものである。
また、ここでは、デジタルオーディオデータをコピーするメディアとしてハードディスクを例に挙げたが、例えばＭＯなどの光磁気ディスクや、データの書き込みが可能なＣＤフォーマット、ＤＶＤフォーマットのディスクメディアなど、他の大容量とされる他のメディアが採用されて構わないものである。また、将来的に大容量なメモリ素子を備えた記録媒体が現実的となれば、このようなメディアとされても構わないものである。
また、本発明としては車載用機器に限定されるものではなく、例えば車載用以外のオーディオ機器などの各種電子機器に対しても適用可能である。
【図面の簡単な説明】
【００８２】
【図１】本発明の実施の形態としての車載用オーディオ機器の構成例を示すブロック図である。
【図２】ＡＤＰＣＭ方式を説明するための説明図である。
【図３】第１の実施の形態としての音声タイトル情報の登録処理を示すフローチャートである。
【図４】第１の実施の形態に対応してハードディスクのファイルシステムにより管理される音声タイトル情報を示す説明図である。
【図５】ファイル再生時における音声タイトル情報の出力のための処理動作を示す説明図である。
【図６】曲目リスト出力時の処理動作を示す説明図である。
【図７】曲目リストの出力時の表示形態例を示す説明図である。
【図８】本実施の形態のファイル検索のための処理動作を示す説明図である。
【図９】第２の実施の形態としての音声タイトル情報の登録処理を示すフローチャートである。
【図１０】第２の実施の形態に対応してメモリ上で管理される音声タイトル情報を示す説明図である。
【図１１】第３の実施の形態に対応してメモリ上で管理される音声タイトル情報を示す説明図である。
【符号の説明】
【００８３】
１  ＣＤプレーヤ部、２  第１メモリ、３  ＤＳＰ、４  ハードディスクドライバ、４ａ  ハードディスク、５  制御部、６  音声処理部、７  Ａ／Ｄコンバータ、８  ノイズキャンセラ、９  音声出力部、１０  Ｄ／Ａコンバータ、１１  音声信号処理部、１２  第２メモリ、１３  表示部、１４  操作部、１５，１６  マイクロフォン、１７  スピーカ、２０  バスライン
【図１】
2007103004.tif 000003
【図２】
2007103004.tif 000004
【図３】
2007103004.tif 000005
【図４】
2007103004.tif 000006
【図５】
2007103004.tif 000007
【図６】
2007103004.tif 000008
【図７】
2007103004.tif 000009
【図８】
2007103004.tif 000010
【図９】
2007103004.tif 000011
【図１０】
2007103004.tif 000012
【図１１】
2007103004.tif 000013